(57)【特許請求の範囲】
【請求項１】
格納庫に格納された他の床面を出庫し、床面に該他の床面を敷設するための競技場設備であって、他の床面には、該他の床面を分割した偶数の床片と、二個を一対とした床片の対向面の各々の一端に設けられ、対向する床片の一端同士でなす角度を拡縮自在とする第１折曲機構と、二個を一対としたうちの一方の床片の他端とこれに隣接する二個を一対としたうちの他方の床片の他端とに設けられ、該一方の床片の他端とこれに隣接する他方の床片の他端とでなす角度を拡縮自在とする第２折曲機構と、少なくとも前記第２折曲機構の下部に設けられたキャスターとを備え、格納庫には、該格納庫内の床において入出庫方向に前記他の床面を移動させる移動機構と、この移動機構に搭載され、搭載箇所と他の床面の一縁部とに亘って架けられた旋回アームを有し、この旋回アームを駆動して他の床面を設定された角度だけ旋回させる旋回機構とを備えたことを特徴とする競技場設備。
【請求項２】
床面に、他の床面を敷設するための競技場設備であって、他の床面には、該他の床面を分割した偶数の床片と、二個を一対とした床片の対向面の各々の一端に設けられ、対向する床片の一端同士でなす角度を拡縮自在とする第１折曲機構と、二個を一対としたうちの一方の床片の他端とこれに隣接する二個を一対としたうちの他方の床片の他端とに設けられ、該一方の床片の他端とこれに隣接する他方の床片の他端とでなす角度を拡縮自在で、一方及び他方の床片の裏面側の板材における外面に枢支部材が設けられた第２折曲機構と、この第２折曲機構の下部に設けられ、吸入した空気を前記床面に対して噴射して床面との間に薄い空気の膜を発生させることにより全体を浮上させる浮上装置とを備え、この浮上装置を、前記各々の枢支部材を枢支すると共に、該各々の枢支部材を枢支した部分の下方位置で、その他端部が第２のリンクの両端でそれぞれ枢支される第１のリンクの一端部を枢支した筐体内に収納したことを特徴とする競技場設備。
【発明の詳細な説明】
【０００１】
【発明の属する技術分野】
本発明は、例えば体育館において、床面に他の競技面を容易にかつ迅速に敷設することができる競技場設備に関するものである。
【０００２】
【従来の技術】
例えば体育館において、剣道用の競技場から畳上で競技を行う柔道用の競技場に変更する場合又は逆に変更する場合、従来は、多くの作業者によって畳を一枚ずつ運んでいたため、変更に多くの時間と人手を要するといったことが問題となっていた。
【０００３】
そこで、従来、ある競技場から床面の機能や性能の異なる競技場に変更するために、折り畳み可能でしかも移動が可能な、折畳式可動床面設備が提案されている。この折畳式可動床面設備は、ある競技場の床面上に他の競技用機能を有した他の床面を敷設するものであり、以下のように構成されている。
【０００４】
すなわち折畳式可動床面設備は、他の競技場となる床面を偶数に分割し（以下、分割された床面を床片という）、これら分割された偶数の床片の二個を一対として各々の裏面同士をハ字状に対向させ、ハ字状に対向させた各々の床片の裏面上部に枢支部材を設け、これらの枢支部材間にリンクを枢支してハ字状の頂上部の角度が拡縮自在とされ、一方、ハ字状に対向させた各々の床片の下部に、ハ字状の頂上部の角度の拡縮方向に移動する車輪が設けられると共に、ハ字状に対向させた一方の床片の下部と、隣接するハ字状に対向させた他方の床片の下部との角度が拡縮自在とされ、これらを連結するための連結部材が設けられている。
【０００５】
上記構成の折畳式可動床面設備は、例えば体育館の隅に設けられた格納庫に、ハ字状に対向させた床片の頂上部の角度を縮小して、つまり分割された複数の床片の各々が直交状に立起した状態で収納されている。
【０００６】
そして、折畳式可動床面設備を使用するときには、格納庫から連結状態にある床片を引き出し、競技場を敷設すべき位置まで直線移動させて、ハ字状に対向させた２個の床片の頂上部の角度、及びハ字状に対向させた一方の床片の下部と、隣接するハ字状に対向させた他方の床片の下部との角度、が拡大するように、床片の下部を各々離反するように移動させ、つまり上記収納時に直交状とされていた床片が平行となるように移動させる。なお、このとき、複数の床片のリンク、連結部材、及び車輪は、床片の下面に隠れたり、床片の下面や接合部分の側面部に設けた窪みに納まり、これらが敷設した他の床面上に現れることがないようになっている。
【０００７】
【発明が解決しようとする課題】
しかしながら、従来の折畳式可動床面設備は、予め設定された敷設箇所に移動させる場合、つまり、図１１に示すように、格納庫Ｔから出庫させた４個の他の床面Ｐ１を、体育館の中央に集めて床面Ｐ上に敷設する場合は、他の床面Ｐ１が入出庫方向へ直線的に移動するように構成されていたので、直線的な移動以外の移動が容易ではなく、時間や手間、及び労力を要するといった問題があり、また、他の床面Ｐ１を入出庫方向以外の方向に移動させる必要がないように、格納庫Ｔの設置スペースを考慮しなければならないといった不具合があった。
【０００８】
そこで、従来の折畳式可動床面設備の車輪をキャスターに変更して自在に移動可能にすることも考えられるが、このようにした場合は、移動は自在となるが、予め設定された敷設レイアウトにて他の床面を敷設しようとすると、逆に位置決めが困難であり、位置決めを行うために逐一折畳式可動床面設備を微移動させるにも時間や手間を要するといった不具合があった。
【０００９】
本発明は、上記の不具合を解消するものであり、予め設定された敷設レイアウトに他の床面を容易にかつ迅速に位置決めできる競技場設備を提供することを目的とする。
【００１０】
【課題を解決するための手段】
上記の目的を達成するために、本発明は、他の床面には、該他の床面を分割した偶数の床片と、これら床片を連結した状態で折曲したり床面に対して平行状にしたりする第１及び第２折曲機構と、床面上で他の床面を自在に移動させるキャスターとを備え、格納庫には、該格納庫内の床において入出庫方向に他の床面を移動させる移動機構と、この移動機構に搭載され、他の床面を設定された角度だけ旋回させる旋回機構とを備えたのである。こうすれば、予め設定された敷設レイアウトにて他の床面を敷設する際には、人手を要することなく迅速にかつ確実に位置決めを行うことができる。
【００１１】
また、本発明は、他の床面に、該他の床面を分割した偶数の床片と、これら床片を連結した状態で折曲したり床面に対して平行状にしたりする第１及び第２折曲機構と、床面に対して空気を噴射して浮上させる浮上装置とを備えたのである。このようにすることで、移動が容易となり、迅速に任意の位置に他の床面を敷設することができる。
【００１２】
【発明の実施の形態】
本発明の請求項１に係る競技場設備は、格納庫に格納された他の床面を出庫し、床面に該他の床面を敷設するための競技場設備であって、他の床面には、該他の床面を分割した偶数の床片と、二個を一対とした床片の対向面の各々の一端に設けられ、対向する床片の一端同士でなす角度を拡縮自在とする第１折曲機構と、二個を一対としたうちの一方の床片の他端とこれに隣接する二個を一対としたうちの他方の床片の他端とに設けられ、該一方の床片の他端とこれに隣接する他方の床片の他端とでなす角度を拡縮自在とする第２折曲機構と、少なくとも第２折曲機構の下部に設けられたキャスターとを備え、格納庫には、該格納庫内の床において入出庫方向に他の床面を移動させる移動機構と、この移動機構に搭載され、搭載箇所と他の床面の一縁部とに亘って架けられた旋回アームを有し、この旋回アームを駆動して他の床面を設定された角度だけ旋回させる旋回機構とを備えたものである。
【００１３】
上記構成によれば、競技場設備における他の床面は、未使用時には、二個を一対とした床片の対向面の一端同士でなす角度が縮小するよう第１折曲機構を折り畳んだ状態で、かつ二個を一対としたうちの一方の床片の他端とこれに隣接する二個を一対としたうちの他方の床片の他端とでなす角度が縮小するよう第２折曲機構を折り畳んだ状態、つまり床片の面を床面に対して直交方向に立起させた状態で複数の床片を積層して、格納庫に収納されている。
【００１４】
格納庫に収納された状態の他の床面は、入庫方向側の一縁部が、格納庫内の床に設けられた移動機構によって入出庫方向に移動可能とされ、また、この移動機構に搭載された旋回機構によって旋回可能な状態とされている。そして、例えば、体育館の中央へ、４方から、つまり４個の格納庫から４個の他の床面を出庫して敷設するには以下のように動作する。
【００１５】
移動機構を駆動すると、格納庫内にある他の床面が出庫方向に移動し、例えばこのときに、第１及び第２折曲機構を動作させて、折曲された他の床面を床面に対して平行状にする。つまり、第２折曲機構を動作させると、二個を一対としたうちの一方の床片の他端と、この床片の他端と隣接する二個を一対としたうちの他方の床片の他端とが互いに離反する。
【００１６】
床片の他端を互いに離反すると、二個を一対としたうちの一方の床片の他端と、この他端と隣接する二個を一対としたうちの他方の床片の他端とでなす角度が拡大する。このときに、第１折曲機構が動作して、二個を一対とした床片の対向面の一端同士でなす角度が拡大する。このようにして、他の床面は、床面に対して直交方向に立起した状態から平行状態となる。
【００１７】
そして、格納庫から出庫され、床面に対して平行状態とされた他の床面は、次に、旋回機構によって、体育館の中央へ向けて旋回されて位置決めされる。すなわち、旋回機構は、移動機構に搭載されているので、移動機構よる他の床面を移動させる動作によって他の床面と共に、搭載箇所と他の床面の一縁部とに亘って架けられた旋回アームが格納庫から出庫された状態となる。そして、旋回アームを予め設定された角度で軸回転させることで、他の床面は、体育館の中央へと旋回され、位置決めされる。
【００１８】
このようにして、あと３個の他の床面も、格納庫から出庫し、体育館中央へ向けて旋回させると、隙間なく４個の他の床面が敷設されることとなり、位置決めを行うために微調整などを行う必要がなく、他の床面を予め設定した敷設箇所へ容易にかつ迅速に移動させることができる。なお、他の床面を格納庫に入庫するには、以上の手順の逆を行えばよく、この場合も容易にかつ迅速に入庫することができる。
【００１９】
ところで、上記した本発明の請求項１に係る競技場設備は、予め設定された敷設レイアウトで他の床面を敷設する際に用いて好適であり、さらに敷設レイアウトの自由度を向上させるには、以下のように構成すればよい。
【００２０】
すなわち、本発明の請求項２に係る競技場設備は、床面に他の床面を敷設するために、他の床面には、該他の床面を構成する偶数の床片と、二個を一対とした床片の対向面の各々の一端に設けられ、対向する床片の一端同士でなす角度を拡縮自在とする第１折曲機構と、二個を一対としたうちの一方の床片の他端とこれに隣接する二個を一対としたうちの他方の床片の他端とに設けられ、一方の床片の他端とこれに隣接する他方の床片の他端とでなす角度を拡縮自在で、一方及び他方の床片の裏面側の板材における外面に枢支部材が設けられた第２折曲機構と、この第２折曲機構の下部に設けられ、吸入した空気を床面に対して噴射して床面との間に薄い空気の膜を発生させることにより全体を浮上させる浮上装置とを備え、この浮上装置を、前記各々の枢支部材を枢支すると共に、該各々の枢支部材を枢支した部分の下方位置で、その他端部が第２のリンクの両端でそれぞれ枢支される第１のリンクの一端部を枢支した筐体内に収納したものである。
【００２１】
上記構成によれば、競技場設備における他の床面は、未使用時には、二個を一対とした床片の対向面の一端同士でなす角度が縮小するよう第１折曲機構を折り畳んだ状態で、かつ二個を一対としたうちの一方の床片の他端と隣接する二個を一対としたうちの他方の床片の他端とでなす角度が縮小するよう第２折曲機構を折り畳んだ状態、つまり床片の面を床面に対して直交方向に立起させた状態で複数の床片を積層して、例えば１個の格納庫に収納されている。
【００２２】
そして、例えば、体育館の中央へ、４個の他の床面を出庫して敷設する際には以下のように動作する。浮上装置を動作させると、第２折曲機構の下部において、吸入した空気が床面に対して噴射され、床面との間に薄い空気の膜が発生することにより他の床面全体が浮上し、容易に格納庫から出庫できる状態となる。つまり、他の床面の移動が容易で、かつその移動に労力を要しないから、格納庫は、敷設位置の遠近に拘わらず少なくとも１個あればよいのである。
【００２３】
格納庫から出庫された他の床面は、敷設すべき位置まで浮上した状態のまま敷設位置まで移動され、敷設位置にて、上記したように、第１及び第２折曲機構によって、床面に対して直交方向に立起した状態から次第に平行状態とされる。
【００２４】
他の床面が完全に平行状態となり、敷設位置の微調整を行った後、浮上装置を停止して、浮上していた該他の床面を床面に降下させる。この状態で床面上に他の床面が敷設されたこととなる。この状態から、収納するには、以上の動作の逆を行えばよい。このように、本発明の請求項２に係る競技場設備は、他の床面を格納庫から出庫し移動し、敷設するに至るまで、作業員１名で容易に行うことができ、さらに、移動時には競技場設備全体が浮上しているので、任意の敷設位置に迅速に移動させることができる。
【００２５】
なお、請求項２に係る競技場設備では、請求項１に係る競技場設備におけるキャスターを浮上装置に代えた構成であるため、より容易にかつ自在に他の床面が移動可能になるのではあるが、その反面、位置決めが困難になるといった不具合が生じる虞がある。請求項２に係る競技場設備は、予め設定された敷設位置に正確にしかも微調整しないで一度に位置決めするには不適ながら、移動が自在で、かつ迅速であり、その移動に大きな労力を要しないので、仮に位置決めのために微調整を行う必要が生じても、微調整にかかる労力と時間と手間が極めて少なくてよくなるため、位置決めが困難になることはない。
【００２６】
【実施例】
以下に、本発明の実施例について図１〜図１０を参照して説明する。
図１は、本発明の請求項１に対応する競技場設備の概略構成を示す。図２乃至図５は、本発明の請求項１に対応する競技場設備における移動機構と旋回機構とを示す。図６は、本発明の請求項１に対応する競技場設備の使用状態を示す。図７は、本発明の請求項２に対応する競技場設備の全体構成を示す。図８は、本発明の請求項２に対応する競技場設備における他の床面を示す。図９は、本発明の請求項２に対応する競技場設備における浮上装置を示す。図１０は、本発明の請求項２に対応する競技場設備を使用した状況を示す。
【００２７】
本発明の競技場設備は、例えば剣道場とされた状態の体育館の床面から畳を使用する柔道場に変更する際に使用され、既設の床面上に他の床面を敷設するために、以下のように構成されている。
【００２８】
本発明の請求項１に対応する競技場設備１は、図１〜図６に示すように、他の床面Ｐ２と格納庫Ｔ１とを有しており、他の床面Ｐ２は次のように構成されている。２は、床面Ｐ上に敷設される他の床面Ｐ２の面を構成する偶数の床片であり、この床片２は、本実施例では、例えば表面側に畳２ａが、裏面側に板材２ｂが各々設けられている。また、床片２は、二個を一対とした床片２，２の対向面の各々の一端に、対向する床片２，２の一端同士でなす角度を拡縮自在とする第１折曲機構３が設けられている。
【００２９】
第１折曲機構３は、二個を一対とした床片２，２の板材２ｂ，２ｂの対向面に、枢支部材３ａ，３ａが設けられ、この枢支部材３ａ，３ａ間にリンク３ｂが枢支されてなる。また、枢支部材３ａ，３ａには、各々脚部３ｃ，３ｃが設けられている。この脚部３ｃ，３ｃの枢支部分とは反対側の端部には、すべり止めを兼ねた緩衝用の例えばゴムでなる緩衝材３ｄ，３ｄが各々設けられている。
【００３０】
また、床片２は、二個を一対としたうちの一方の床片２の他端と、これに隣接する二個を一対としたうちの他方の床片２の他端とに、該一方の床片２の他端とこれに隣接する他方の床片２の他端とでなす角度を拡縮自在とする第２折曲機構４が設けられている。
【００３１】
第２折曲機構４は、二個を一対としたうちの一方の床片２、及び隣接する二個を一対としたうちの他方の床片２の各々の板材２ｂにおける外面に、枢支部材４ａ，４ａが各々設けられており、枢支部材４ａ，４ａは、後述するキャスターＣを収納した筐体Ｃ１，Ｃ１の一部を枢支している。また、筐体Ｃ１，Ｃ１において枢支部材４ａ，４ａで枢支された部分の下方位置に、リンク４ｂ，４ｂの一端部がそれぞれ枢支されている。リンク４ｂ，４ｂの他端部は、リンク４ｃの両端のそれぞれを各々枢支している。
【００３２】
なお、二個を一対とした床片２，２の板材２ｂ，２ｂの対向面には、それぞれ同じ位置に互いに同じ長さとされたリンク５，５の一端が各々枢支されており、このリンク５，５の他端は、互いに軸５ａで枢支されている。これらのリンク５，５のいずれか一方側のリンク５の枢支軸を駆動モータ５ｂで回転させることで、軸５ａを中心としてリンク５，５でなす角度が変化し、これによって第１折曲機構３を中心として床片２，２が、左右対称に床面Ｐに対して平行状になったり、直交状に折り畳まれたりする。
【００３３】
また、二個を一対とした床片２，２の板材２ｂ，２ｂの対向面には、それぞれ同じ位置に脚部材６，６が、例えば床片２の一端から他端に至る間の位置に設けられている。この脚部材６は、その一端が床片２の板材２ｂに設けられた枢支部材２ｃに枢支されており、その他端にはすべり止めを兼ねた緩衝用の例えばゴムでなる緩衝材６ａが設けられている。
【００３４】
脚部材６、及び脚部３ｃは、各々その中間位置に、リンク部材６Ａを枢支しており、このリンク部材６Ａは、一端を脚部３ｃの中間位置に、他端をキャスターＣを収納した移動部材の筐体Ｃ１の一部でリンク４ｂを枢支した位置と同位置に枢支されている。このリンク部材６Ａによって、床片２が床面Ｐに対して平行状になる際には、脚部材６及び脚部３ｃが同期して床面Ｐに対して直交状となり、床面Ｐに対して垂直の状態を維持して床片２を床面Ｐ上で支持する。
【００３５】
また、リンク部材６Ａは、床片２が床面Ｐに対して直交状になる際に、脚部材６及び脚部３ｃが同期して床片２に対して平行状となる。このように、リンク部材６Ａを設けることによって、脚部材６及び脚部３ｃを安定して床面Ｐに立設することができる。
【００３６】
さらに、第２折曲機構４の下部、すなわち床面Ｐと床片２の板材２ｂの外面との間の位置には、常時床面Ｐと平行状態とされた筐体Ｃ１内にキャスターＣが設けられている。
【００３７】
続いて、本発明の競技場設備１における格納庫Ｔ１は、次のように構成されている。１１は、格納庫Ｔ１の床に設けられ、上記した他の床面Ｐ２を入出庫方向に移動させるための移動機構である。移動機構１１は、入出庫方向と直交する幅方向の両端、及び中間位置における格納庫Ｔ１の床上にそれぞれ、２本を一対とする走行レール１１ａが入出庫方向に敷設されており、この走行レール１１ａ上には、各々、その下面に車輪を有した移動台車１１ｂが乗せられ、この移動台車１１ｂを移動させる構成となっている。
【００３８】
移動台車１１ｂは、入出庫方向両端部に、チェーン１１ｃの端部が各々取り付けられている。チェーン１１ｃは、格納庫Ｔ１における入出庫方向の奥位置と入出庫口位置とに設けたスプロケット１１ｄに架けられている。さらに、格納庫Ｔ１における入出庫方向奥位置に設けられたスプロケット１１ｄは、軸１１ｅが設けられている。
【００３９】
また、格納庫Ｔ１における入出庫方向奥位置に設けられたスプロケット１１ｄのうち、入出庫方向と直交する幅方向の中間位置に設けたスプロケット１１ｄと隣接する位置には、軸１１ｅを中心に回転する駆動スプロケット１１ｆが設けられている。また、移動機構１１は、駆動スプロケット１１ｆを回転駆動するための駆動モータ１１ｇを有している。
【００４０】
駆動モータ１１ｇの出力軸に設けられたスプロケット（参照番号なし）と駆動スプロケット１１ｆとには、駆動チェーン１１ｈが架けられており、駆動モータ１１ｇを駆動すると、駆動チェーン１１ｈを介して駆動スプロケット１１ｆが回転し、この駆動スプロケット１１ｆを回転させる。
【００４１】
駆動スプロケット１１ｆが回転することにより、軸１１ｅを介して格納庫Ｔ１における入出庫方向奥位置に設けられた３個のスプロケット１１ｄが同時に回転し、各々のチェーン１１ｃを介して格納庫Ｔ１における入出庫方向の入出庫口位置に設けられたそれぞれのスプロケット１１ｄが回転する。
【００４２】
そして、スプロケット１１ｄの回転によるチェーン１１ｃの移動によって３個の移動台車１１ｂが走行レール１１ａに沿って格納庫Ｔ１における入出庫方向に同時に移動し、後述する旋回機構１２と共に他の床面Ｐ２を格納庫Ｔ１から出庫させたり入庫させたりする。
【００４３】
また、移動機構１１における各々の移動台車１１ｂ上には、他の床面Ｐ２を床面Ｐ上で旋回させる旋回機構１２が各々搭載されている。旋回機構１２は、最も格納庫Ｔ１寄りの他の床面Ｐ２において、キャスターＣを収納した筐体Ｃ１に、その一端が枢支された旋回アーム１２ａと、この旋回アーム１２ａの他端が設けられ、回転する旋回軸１２ｂとを有している。
【００４４】
旋回機構１２は、入出庫方向と直交する方向に上記したように３箇所に位置する移動台車１１ｂ上に搭載された旋回アーム１２ａを、同時に旋回させるため、該旋回アーム１２ａの一端と他端との中間位置に、リンクアーム１２ｃを枢支している。
【００４５】
そして、入出庫方向と直交する方向における中間位置に配置された移動台車１１ｂ上には、旋回軸１２ｂと共に、この旋回軸１２ｂを回転駆動するための旋回モータ１２ｄが設けられており、さらに、旋回モータ１２ｄと旋回軸１２ｂには、旋回チェーン１２ｅが架けられている。
【００４６】
すなわち、旋回機構１２は、旋回モータ１２ｄを駆動すると、旋回チェーン１２ｅを介して旋回軸１２ｂが旋回して旋回アーム１２ａが、リンクアーム１２ｃによって３個同時に旋回するようになっている。
【００４７】
次に、上記構成の競技場設備１の動作について説明する。
図６に示すように、格納庫Ｔ１は、例えば昇降式とされ、体育館の床面Ｐの四隅に各々設けられている。格納庫Ｔ１は、他の床面Ｐ２を使用しないとき、及び該他の床面Ｐ２を出庫した後には、降下しており、また、格納庫Ｔ１は、降下したとき、該格納庫Ｔ１の上面が、体育館の床面Ｐの一部として使用可能とされている。
【００４８】
そして、他の床面Ｐ２を出庫するには、まず、上記した状態から格納庫Ｔ１を上昇させ、格納庫Ｔ１の床と体育館の床面Ｐとが面一となった状態（図６（ａ））で、移動機構１１の駆動モータ１１ｇを駆動すると共に、床片２，２間に配されたリンク５，５の角度が拡大するように駆動モータ５ｂを駆動する。
【００４９】
移動機構１１の駆動モータ１１ｇを正転駆動すると、上記したように移動台車１１ｂが出庫方向へ移動し、これにより他の床面Ｐ２が格納庫Ｔ１から出庫される。そして、リンク５を駆動する駆動モータ５ｂによって、リンク５，５とでなす角度が次第に拡大し始め、これに伴って、二個を一対とされた床片２の一端同士でなす角度が第１折曲機構３により拡大し、かつ二個を一対とされた床片２の一方の他端と、二個を一対とされた床片２の他方の他端とでなす角度が第２折曲機構４により拡大し、床片２が床面Ｐに対して次第に平行状となる。
【００５０】
このとき、第１折曲機構３における脚部３ｃ、脚部材６は、リンク部材６Ａによって床面Ｐに対して垂直状態を維持するように相対的に移動して、床片２が床面Ｐに対して平行状となったときに、床面Ｐに接触し、床片２を支持することとなる。一方、キャスターＣを収納した筐体Ｃ１は、枢支部材４ａで枢支されているので、上記のように床片２が傾動しても常に床面Ｐに対して平行状態が維持される。
【００５１】
そして、床片２が床面Ｐに対して完全に平行状となった後、旋回機構１２を駆動する。いま、単に格納庫Ｔ１から出庫方向に直線的に他の床面Ｐ２を移動させただけでは、４枚の他の床面Ｐ２の隣接部分に隙間が生じているので、予め設定された敷設位置へ他の床面Ｐ２を旋回移動させるように、角度設定された旋回機構１２を駆動して他の床面Ｐ２を体育館の中央部へと移動させるのである。
【００５２】
すなわち、旋回機構１２の旋回モータ１２ｄを正転駆動するとリンクアーム１２ｃを介して全ての旋回アーム１２ａが同時に旋回し、この旋回アーム１２ａの一端を枢支した他の床面Ｐ２全体が、旋回アーム１２ａの旋回角度だけ、体育館の中央へと移動し、この位置で各々の他の床面Ｐ２が位置決めされる（図６（ｂ））。
【００５３】
そして、旋回アーム１２ａを他の床面Ｐ２における筐体Ｃ１から外し、移動機構１１の駆動モータ１１ｇを逆転駆動して、旋回機構１２及び移動機構１１自身を格納庫Ｔ１内に戻し、格納庫Ｔ１を降下させて、他の床面Ｐ２が使用できる状態となる。
【００５４】
他の床面Ｐ２を格納庫Ｔ１に入庫するには、格納庫Ｔ１を上昇させた後、駆動モータ１１ｇを正転駆動して、移動台車１１ｂ及び旋回機構１２を入出庫口に移動させ、体育館の中央に位置する他の床面Ｐ２の各々について、それぞれ上記で外した旋回アーム１２ａの一端を再度取り付けて、旋回モータ１２ｄを逆転駆動して他の床面Ｐ２を上記とは逆向きに旋回させて、その後、駆動モータ１１ｇを逆転駆動して格納庫Ｔ１に他の床面Ｐ２を格納し、格納庫Ｔ１を降下させる。
【００５５】
このように、本発明の請求項１に対応する競技場設備１は、移動機構１１により他の床面Ｐ２の入出庫が容易となり、また、予め決められた敷設範囲を移動する場合には、旋回機構１２により位置決めが容易でかつ確実となる。
【００５６】
次に、請求項２に対応する競技場設備２０ついて説明する。競技場設備２０は、図７〜図１０に示すように、上記した他の床面Ｐ２においては、競技場設備１でキャスターＣを用いたが、これに代えて浮上装置７を用いて床面Ｐ上に他の床面Ｐ３を浮上させる構成とした点が異なる他、格納庫Ｔ２においては、移動機構１１及び旋回機構１２を省略している点が異なる。なお、競技場設備２０において、上記競技場設備１と同部材については、図面上、同参照番号を付し、競技場設備２０における構成説明を省略する。
【００５７】
競技場設備２０において、浮上装置７は、第２折曲機構４の下部に設けられている。すなわち、浮上装置７は、不図示の電源供給装置から電力を供給されると空気を吸入口７ａから吸入し、排出口７ｂから排出するブロアー７Ａと、このブロアー７Ａを載置すると共に、排出口７ｂに連結された排気管７ｃが連結された筐体７Ｂとでなる。筐体７Ｂは、床面Ｐと床片２の板材２ｂの外面との間の位置に、常時床面Ｐと平行状態となるように構成されている。
【００５８】
筐体７Ｂの裏面側には、空気を一旦溜め込んで筐体７Ｂの裏面全体に均等に噴射するために、空気の流入によって図９（ａ）から図９（ｂ）に示すように膨張し、かつその裏面に不図示ではあるが多数の孔が形成された噴射部７ｄが設けられている。
【００５９】
また、筐体７Ｂは、上記した第２折曲機構４における枢支部材４ａと同軸にてその一部が枢支されており、常に床面Ｐと平行状態を維持し、他の床面Ｐ３の敷設時には床片２を支持する脚としての機能をも有する。
【００６０】
次に、本発明の競技場設備２０の動作について説明する。
例えば体育館において、図１０に示すように、屋内の隅には１つの格納庫Ｔ２が設けられており、本発明の競技場設備２０は、自在に移動できるので、格納庫Ｔ２が１つでよくなる点も大きな利点である。
【００６１】
そして、格納庫Ｔ２に、他の床面Ｐ３が折り畳まれて、つまり二個を一対とされた床片２の一端同士でなす角度が第１折曲機構３により縮小され、かつ二個を一対とされた床片２の一方の他端と、二個を一対とされた床片２の他方の他端とでなす角度が第２折曲機構４により縮小され、床片２が床面Ｐに対して垂直状に立起した状態で収納されている。
【００６２】
また、格納庫Ｔ２は、未使用時は、図１に示すように床面Ｐの下面へ下降した状態で収納され、使用時には、床面Ｐ上まで上昇する。他の床面Ｐ３を使用するには、格納庫Ｔ２を上昇させ、不図示の電源スイッチをオンにして浮上装置７のブロアー７Ａを作動させる。ブロアー７Ａが作動すると、吸入口７ａから空気が吸い込まれ、排出口７ｂから空気が噴射され、排気管７ｃを介して噴射部７ｄに送り込まれる。
【００６３】
噴射部７ｄでは、空気が送り込まれる前は、図９（ａ）に示すように潰れた状態となっており、空気が送り込まれると、図９（ｂ）に示すように膨張し、不図示の孔から空気が噴射され、床面との間に薄い空気の膜を発生させることにより、他の床面Ｐ３を床面Ｐから上昇させる。
【００６４】
そして、格納庫Ｔ２から他の床面Ｐ３全体を出庫し、体育館の任意の位置へと移動させる。他の床面Ｐ３の敷設箇所まで移動させた後、駆動モータ５ｂを駆動してリンク５，５でなす角度を拡大させ、第１及び第２折曲機構３，４を動作させて他の床面Ｐ３を床面Ｐに対して平行状とする。このとき、浮上装置７の筐体７Ｂは、枢支部材４ａで枢支されているので、上記のように床片２が傾動しても常に浮上装置７の筐体７Ｂは、床面Ｐに対して平行状態が維持されている。
【００６５】
そして、他の床面Ｐ３が床面Ｐに対して完全に平行状にされた後、他の床面Ｐ３全体の敷設位置の微調整を行い、浮上装置７を停止する。浮上装置７を停止すると、他の床面Ｐ３全体が床面Ｐ上に降下し、こうして床面Ｐ上に他の床面Ｐ３が敷設されたこととなる。なお、床片２同士の畳２ａには、隙間が生じることはなく、また、床片２の板材２ｂ側に設けた各種の部材が、畳２ａの表面に現れることはない。他の床面Ｐ３を格納庫Ｔ２に収納するには、上記の逆の動作を行えばよい。
【００６６】
このように、本発明の請求項２に係る競技場設備２０は、床面Ｐ上に他の床面Ｐ３を敷設する際に、他の床面Ｐ３を浮上装置７によって床面Ｐから浮上させて移動できるようにしているので、作業員１名でも容易に他の床面Ｐ３の敷設作業を行うことができ、迅速にかつ任意の位置に敷設することができる。
【００６７】
なお、上記した実施例では、他の床面Ｐ２，Ｐ３として柔道用の競技場を敷設するようにしていたので、床片２の表面側には畳２ａを設けていたが、これに代えて、例えばテニス用のハードコートを敷設するための部材や、その他、競技によって専用のコートや競技場が必要な場合に、床片２の畳２ａを設けていた部分を変更することで体育館やスポーツ施設において幅広く使用することができる他、仮設舞台の設置を行うこともできる。
【００６８】
【発明の効果】
以上のように、本発明の請求項１に係る競技場設備は、他の床面に、該他の床面を分割した偶数の床片、これら床片を連結した状態で折曲したり床面に対して平行状にしたりする第１及び第２折曲機構、及び床面上で他の床面を自在に移動させるキャスターを備え、格納庫に、該格納庫内の床において入出庫方向に他の床面を移動させる移動機構、及び他の床面を設定された角度だけ旋回させる旋回機構を備えたので、予め設定された敷設レイアウトに他の床面を敷設する際には、労力を要することなく迅速かつ確実に位置決めを行うことができ、他の床面の敷設作業が極めて容易となる。
【００６９】
また、本発明の請求項２に係る競技場設備は、他の床面に、該他の床面を分割した偶数の床片、これら床片を連結した状態で折曲したり床面に対して平行状にしたりする第１及び第２折曲機構、及び床面に対して空気を噴射して浮上させる浮上装置を備えたので、他の床面の移動が極めて容易となり、迅速に任意の位置に他の床面を敷設することができる。
【図面の簡単な説明】
【図１】本発明の請求項１に係る競技場設備の概略構成を示す図である。
【図２】本発明の請求項１に係る競技場設備における移動機構及び旋回機構を、上方から見た図である。
【図３】本発明の請求項１に係る競技場設備における旋回機構の一部を、上方から見た図である。
【図４】本発明の請求項１に係る競技場設備における移動機構の一部を、上方から見た図である。
【図５】本発明の請求項１に係る競技場設備における移動機構及び旋回機構の一部を、拡大した図である。
【図６】本発明の請求項１に係る競技場設備の使用状態を示す図であり、（ａ）は他の床面が格納庫から出庫される前の状態、（ｂ）は他の床面を位置決めした状態、である。
【図７】本発明の請求項２に係る競技場設備の概略構成を示す斜視図である。
【図８】本発明の請求項２に係る競技場設備における他の床面を説明するための図である。
【図９】本発明の請求項２係る競技場設備における浮上装置を示し、（ａ）は作動していない状態を示す図、（ｂ）は作動している状態を示す図である。
【図１０】本発明の請求項２に係る競技場設備により床面上に他の床面を敷設した状況を示す図である。
【図１１】従来の折畳式可動床面設備により床面に他の床面を敷設した状態を示す図である。
【符号の説明】
１    競技場設備
２    床片
３    第１折曲機構
４    第２折曲機構
７    浮上装置
１１  移動機構
１２  旋回機構
２０  競技場設備
Ｃ    キャスター
Ｐ    床面
Ｐ２  他の床面
Ｐ３  他の床面
Ｔ１  格納庫
【図１】
0004295383.tif 000002
【図２】
0004295383.tif 000003
【図３】
0004295383.tif 000004
【図４】
0004295383.tif 000005
【図５】
0004295383.tif 000006
【図６】
0004295383.tif 000007
【図７】
0004295383.tif 000008
【図８】
0004295383.tif 000009
【図９】
0004295383.tif 000010
【図１０】
0004295383.tif 000011
【図１１】
0004295383.tif 000012